【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
車両の事故発生時に、事故車両の緊急通報車載装置（３）からサービスセンター（５）に、無線回線を介して、所定の情報が送信される構成と、前記緊急通報車載装置（３）と前記サービスセンター（５）との間で通話が可能な構成と、を備えた緊急通報システムに（１）おいて、
携帯電話（７）から前記サービスセンター（５）に対して、該サービスセンター（５）から前記緊急通報車載装置（３）に通話を行う際の着信先を、該緊急通報車載装置（３）から前記携帯電話（７）に変更することを要求する着信先変更要求が送信された場合に、前記着信先変更要求を受信したサービスセンター（５）は、前記着信先を前記携帯電話（７）に変更するか（Ｓ２４０、Ｓ２５０）又は前記着信先変更要求を拒否するか（Ｓ２４０、Ｓ２６０）を判定する構成を有しており、
前記事故発生時に、前記緊急通報車載装置（３）から前記サービスセンター（５）に対して、前記車両の位置を示す車両位置情報と前記携帯電話（７）にて測位した携帯位置情報とが送信された場合には、
前記サービスセンター（５）では、前記車両位置情報と前記携帯位置情報とに基づいて、前記緊急通報車載装置（３）と前記携帯電話（７）との距離を求め、該距離が所定以上離れている場合には、前記着信先変更要求を拒否する（Ｓ２４０、Ｓ２６０）ことを特徴とする緊急通報システム。
【請求項２】
前記事故発生時に、前記緊急通報車載装置（３）から前記サービスセンター（５）に対して、前記車両を特定する車両ＩＤと前記車両位置情報とを含む緊急通報信号を送信する（Ｓ１００、Ｓ１１０）ことを特徴とする請求項１に記載の緊急通報システム。
【請求項３】
前記着信先変更要求には、前記携帯電話（７）と前記車両ＩＤとを関連づける関連情報と、前記携帯電話（７）の電話番号と、前記携帯位置情報とを付加することを特徴とする請求項２に記載の緊急通報システム。
【請求項４】
車両の事故発生時に、事故車両の緊急通報車載装置（３）からサービスセンター（５）に、無線回線を介して、所定の情報が送信される構成と、前記緊急通報車載装置（３）と前記サービスセンター（５）との間で通話が可能な構成と、を備えた緊急通報システムに（１）おいて、
前記サービスセンター（５）には、前記緊急通報車載装置（３）を特定するデータと携帯電話（７）を特定するデータとが関連づけて記憶されており、
前記携帯電話（７）から前記サービスセンター（５）に対して、該サービスセンター（５）から前記緊急通報車載装置（３）に通話を行う際の着信先を、該緊急通報車載装置（３）から前記携帯電話（７）に変更することを要求する着信先変更要求が送信された場合には、
前記着信先変更要求を受信したサービスセンター（５）は、前記関連づけて記憶されたデータに基づいて、前記着信先変更要求が、前記関連づけて記憶された携帯電話（７）からの要求であるか否かを判定し、該携帯電話（７）からの要求であると判定された場合には、前記着信先を前記携帯電話（７）に変更する（Ｓ５５０）ことを特徴とする緊急通報システム。
【請求項５】
前記事故発生時に、前記緊急通報車載装置（３）から前記サービスセンター（５）に対して、前記車両を特定する車両ＩＤと前記車両の位置を示す車両位置情報とのうち、少なくとも前記車両ＩＤを含む緊急通報信号を送信する（Ｓ１００、Ｓ１１０）ことを特徴とする請求項４に記載の緊急通報システム。
【請求項６】
前記着信先変更要求には、前記携帯電話（７）と前記車両ＩＤとを関連づける関連情報と、前記携帯電話（７）の電話番号と、前記携帯電話（７）にて測位した携帯位置情報とのうち、少なくとも前記関連情報と前記電話番号を付加することを特徴とする請求項５に記載の緊急通報システム。
【請求項７】
前記事故発生時に、前記緊急通報車載装置（３）から前記サービスセンター（５）に対して、前記車両位置情報と前記携帯位置情報が送信された場合には、
前記サービスセンター（５）では、前記車両の位置を示す車両位置情報と前記携帯電話（７）にて測位した携帯位置情報とに基づいて、前記緊急通報車載装置（３）と前記携帯電話（７）との距離を求め、該距離が所定以上離れている場合には、前記着信先変更要求を拒否する（Ｓ２４０、Ｓ２６０）ことを特徴とする請求項４〜６のいずれか１項に記載の緊急通報システム。
【請求項８】
前記請求項１〜３のいずれか１項に記載の緊急通報システムに用いられるサービスセンター（５）であって、
前記着信先変更要求があった場合に、前記車両位置情報と前記携帯位置情報とに基づいて、前記緊急通報車載装置（３）と前記携帯電話（７）との距離を求め、該距離が所定以上離れている場合には、前記着信先変更要求を拒否する（Ｓ２４０、Ｓ２６０）ことを特徴とするサービスセンター。
【請求項９】
前記請求項４〜７のいずれか１項に記載の緊急通報システムに用いられるサービスセンター（５）であって、
前記着信先変更要求があった場合には、前記関連づけて記憶されたデータに基づいて、前記着信先変更要求が、前記関連づけて記憶された携帯電話（７）からの要求であるか否かを判定し、該携帯電話（７）からの要求であると判定された場合には、前記着信先を前記携帯電話（７）に変更する（Ｓ５５０）ことを特徴とするサービスセンター。
【請求項１０】
前記緊急通報車載装置（３）を特定するデータと前記車両のユーザを特定する情報とを関連づけて記憶していることを特徴とする請求項８に記載のサービスセンター。
【請求項１１】
前記緊急通報車載装置（３）を特定するデータと前記携帯電話（７）を特定するデータとを関連づけて記憶していることを特徴とする請求項８又は９に記載のサービスセンター。
【請求項１２】
前記請求項１〜７のいずれか１項に記載の緊急通報システム（１）に用いられる携帯電話（７）であって、
前記サービスセンター（５）に対して、前記着信先を前記携帯電話（７）に変更する前記着信先変更要求を送信する（Ｓ３１０）機能を有することを特徴とする携帯電話。
【手続補正２】
【補正対象書類名】明細書
【補正対象項目名】０００９
【補正方法】変更
【補正の内容】
【０００９】
本発明の一つの態様は、車両の事故発生時に、事故車両の緊急通報車載装置からサービスセンターに、無線回線を介して、所定の情報が送信される構成と、前記緊急通報車載装置と前記サービスセンターとの間で通話が可能な構成と、を備えた緊急通報システムに関するものである。
この態様では、携帯電話から前記サービスセンターに対して、該サービスセンターから前記緊急通報車載装置に通話を行う際の着信先を、該緊急通報車載装置から前記携帯電話に変更することを要求する着信先変更要求が送信された場合に、前記着信先変更要求を受信したサービスセンターは、前記着信先を前記携帯電話に変更するか又は前記着信先変更要求を拒否するかを判定する構成を有する。
そして、前記事故発生時に、前記緊急通報車載装置から前記サービスセンターに対して、前記車両の位置を示す車両位置情報と前記携帯電話にて測位した携帯位置情報とが送信された場合には、前記サービスセンターでは、前記車両位置情報と前記携帯位置情報とに基づいて、前記緊急通報車載装置と前記携帯電話との距離を求め、該距離が所定以上離れている場合には、前記着信先変更要求を拒否する。
本発明の他の態様は、車両の事故発生時に、事故車両の緊急通報車載装置からサービスセンターに、無線回線を介して、所定の情報が送信される構成と、前記緊急通報車載装置と前記サービスセンターとの間で通話が可能な構成と、を備えた緊急通報システムに関するものである。
この態様では、前記サービスセンターには、前記緊急通報車載装置を特定するデータと携帯電話を特定するデータとが関連づけて記憶されている。
そして、前記携帯電話から前記サービスセンターに対して、該サービスセンターから前記緊急通報車載装置に通話を行う際の着信先を、該緊急通報車載装置から前記携帯電話に変更することを要求する着信先変更要求が送信された場合には、前記着信先変更要求を受信したサービスセンターは、前記関連づけて記憶されたデータに基づいて、前記着信先変更要求が、前記関連づけて記憶された携帯電話からの要求であるか否かを判定し、該携帯電話からの要求であると判定された場合には、前記着信先を前記携帯電話に変更する。
【手続補正３】
【補正対象書類名】図面
【補正対象項目名】図１０
【補正方法】変更
【補正の内容】
【図１０】
2015198393.tif 000001